(57)【要約】【課題】  携帯情報端末に記憶されているデータを、迅速かつ簡単に受信することができるカーナビゲーション装置を提供する。【解決手段】   携帯情報端末から送信されたデータを受信し、受信したデータに基づいて、カーナビゲーション装置の地図記憶メモリもしくはＣＤ−ＲＯＭに格納されたデータとのマッチングを行う。マッチングの結果、該当するデータがあれば、このデータの地図を表示し、新たな登録地点として地図記憶メモリに記憶したり、行き先地として設定する。【選択図】     図１
2005300159.tif 000002
【特許請求の範囲】
【請求項１】
現在位置を検出する検出手段と、
検出された現在位置を地図上に表示する表示モニタと、
地図上の任意の地点をその内部住所データとともに登録する地点登録手段と、
外部の携帯情報端末からの外部住所データを受信して外部検索データとして記憶する受信手段と、
前記外部検索データに基づいて前記内部住所データを参照して該当する地点を検索し、検索結果を前記表示モニタ上に地図表示する表示制御手段とを備えることを特徴とするナビゲーション装置。
【請求項２】
現在位置を検出する検出手段と、
検出された現在位置を地図上に表示する表示モニタと、
地図上の任意の地点をその内部住所データとともに登録する地点登録手段と、
外部の携帯情報端末からの外部住所データを受信して外部検索データとして記憶する受信手段と、
前記外部検索データに対応する前記内部住所データを検索し、検索した内部住所データを、前記外部検索データに付加させて記憶するデータ編集手段とを備えることを特徴とするナビゲーション装置。
【発明の詳細な説明】
【０００１】
【発明の属する技術分野】
本発明は、携帯情報端末の持つデータを利用して行き先検索を行うことのできるナビゲーション装置に関する。
【０００２】
【従来の技術】
車両位置周辺の道路地図を表示する機能、出発地から行き先までの推奨経路を演算する機能、演算された推奨経路に基づいて経路誘導を行う機能などを兼ね備えたカーナビゲーション装置が知られている。このカーナビゲーション装置では、行き先の名称、住所、電話番号などを特定して行き先を設定することができる。
この装置では、行き先の名称、住所、電話番号などのデータを、ユーザーがカーナビゲーション装置の入力スイッチの操作を行うことにより入力する必要があった。
【０００３】
一方、個人のスケジュール管理機能、メモ機能、住所録機能、外部機器との通信機能などを兼ね備えた携帯情報端末が、従来の手書きによる手帳に代わり普及しつつある。これまでは、携帯情報端末に記憶されているデータをもとに、カーナビゲーション装置で行き先を設定する場合、ユーザーは携帯情報端末のデータを呼び出し、カーナビゲーション装置に手で入力を行っていた。
【０００４】
【発明が解決しようとする課題】
しかし、携帯情報端末に既に入力されているデータを再度カーナビゲーション装置に手で入力し直すということは煩わしいという問題が生じていた。
本発明は、携帯情報端末に既に入力されているデータを、簡易かつ迅速に受信することのできるカーナビゲーション装置を提供する。
【０００５】
【課題を解決するための手段】
（１）  請求項１の発明によるナビゲーション装置は、現在位置を検出する検出手段と、検出された現在位置を地図上に表示する表示モニタと、地図上の任意の地点をその内部住所データとともに登録する地点登録手段と、外部の携帯情報端末からの外部住所データを受信して外部検索データとして記憶する受信手段と、前記外部検索データに基づいて前記内部住所データを参照して該当する地点を検索し、検索結果を前記表示モニタ上に地図表示する表示制御手段とを備えることを特徴とする。
（２）  請求項２の発明によるナビゲーション装置は、現在位置を検出する検出手段と、検出された現在位置を地図上に表示する表示モニタと、地図上の任意の地点をその内部住所データとともに登録する地点登録手段と、外部の携帯情報端末からの外部住所データを受信して外部検索データとして記憶する受信手段と、前記外部検索データに対応する前記内部住所データを検索し、検索した内部住所データを、前記外部検索データに付加させて記憶するデータ編集手段とを備えることを特徴とする。
【０００６】
【発明の実施の形態】
―――全体の説明―――
図１は本発明の一実施の形態であるカーナビゲーション装置１０のシステムブロック図である。カーナビゲーション装置１０は、車両の走行に関する情報を提示する機能、具体的には、車両位置周辺の道路地図を表示する機能、出発地から行き先までの推奨経路を演算する機能、演算された推奨経路に基づいて経路誘導を行う機能などを兼ね備えている。いわゆるナビゲーションあるいは道路案内などを行う装置である。
【０００７】
図１において、１１は車両の現在地を検出する現在地検出装置であり、例えば車両の進行方位を検出する方位センサ１１ａ、車速を検出する車速センサ１１ｂ、ＧＰＳ衛星からのＧＰＳ信号を検出するＧＰＳセンサ１１ｃ等からなる。１２は道路地図データおよび住所データを格納する地図記憶メモリであり、道路地図データおよび住所データが格納された記録媒体であるＣＤ−ＲＯＭ１３およびその読み出し装置からなる。記録媒体はＣＤ−ＲＯＭに限定されず、磁気テープやＤＶＤやその他のあらゆる記録媒体であってもよい。地図記憶メモリ１２には、後述するように外部から受信したデータを住所録として記憶する住所録エリアが存在する。
【０００８】
１４は装置全体を制御する制御回路であり、マイクロプロセッサおよびその周辺回路からなる。制御回路１４は、ＲＡＭ１５を作業エリアとしてＲＯＭ１６に格納された制御プログラムを実行して後述する各種の制御を行う。１７は車両の行き先等を入力する各種スイッチを有する入力装置である。カーソル（フォーカス）の移動や画面のスクロールを指示するロータリースイッチを含む。なお、本実施の形態では、表示画面内にタッチパネルスイッチを設けている。また、入力装置１７に、カーソル（フォーカス）の移動や画面のスクロールを指示するジョイスティックを設けても良く、入力装置１７をリモコン方式としてもよい。
【０００９】
１８は表示モニタ１９に表示するための画像データを格納する画像メモリであり、この画像データは道路地図描画用データや各種の図形データなどから作成される。画像メモリ１８に格納された画像データは適宜読み出されて表示モニタ１９に表示される。制御回路１４は、表示モニタ１９への表示用信号の出力装置として機能する。
【００１０】
２１は後述する携帯情報端末３０とデータの送受信を行う送受信部であり、赤外線通信により、携帯情報端末３０とデータの送受信を行う。携帯情報端末３０から送信される氏名、住所、電話番号等のデータを、送受信部２１にて受信する。また、カーナビゲーション装置１０の地図記憶メモリ１２およびＣＤ−ＲＯＭ１３に格納されているデータを、送受信部２１から送信する。この送受信部２１による通信手段は赤外線通信に限らず、電波による通信でも良い。また、有線による通信でも良い。
【００１１】
このように構成されるカーナビゲーション装置１０は、現在地検出装置１１により取得した自車位置情報および地図記憶メモリ１２に格納されている道路地図データに基づき各種のナビゲーションを行う。例えば、自車位置近辺の道路地図および自車位置を表示モニタ１９に表示し、経路探索によって得られた経路に沿ってドライバーを誘導する。
【００１２】
図２は、本発明の一実施の形態で使用している携帯情報端末３０のシステムブロック図である。携帯情報端末３０は、個人スケジュール管理機能、メモ機能、住所録のようなデータ管理機能などを兼ね備えている。
【００１３】
図２において、３１は携帯情報端末へ個人スケジュールやデータを入力する入力装置である。キーや表示画面内に設けられたタッチパネルスイッチの他にも、手書き入力認識装置、カーソル（フォーカス）の移動や画面のスクロールを指示するポインティングデバイスを含む。
【００１４】
３２は、データ等を表示する表示モニタである。表示モニタ３２は上述したように入力装置としての機能も有している。３３は入力された内容や、後述の制御回路３４で演算された結果を記憶しておくためのデータ記憶メモリである。データ記憶メモリ３３は、携帯情報端末３０に内蔵の半導体記憶素子の他、携帯情報端末３０から脱着可能な記憶装置であってもよい。
【００１５】
３４は装置全体を制御する制御回路であり、マイクロプロセッサおよびその周辺回路からなる。制御回路３４は、ＲＡＭ３５を作業エリアとしてＲＯＭ３６に格納された制御プログラムを実行して各種の制御を行う。
【００１６】
３７は外部機器とのデータの送受信を行う送受信部であり、赤外線通信により、パーソナルコンピュータや他の携帯情報端末などとデータの送受信を行う。携帯情報端末３０に記憶している氏名、住所、電話番号等のデータを送受信部３７から送信することにより、カーナビゲーション装置１０に転送する。また、カーナビゲーション装置１０から送信された、カーナビゲーション装置１０のデータを、送受信部３７で受信することにより、カーナビゲーション装置の持つデータを、携帯情報端末３０で利用できる。この送受信部３７での通信手段は赤外線通信に限らず、電波による通信でも良い。また、有線による通信でも良い。
【００１７】
上記構成のカーナビゲーション装置１０および携帯情報端末３０においては、携帯情報端末３０に記憶されているデータの中から選択されたデータを、携帯情報端末３０の送受信部３７から送信し、カーナビゲーション装置１０の送受信部２１で受信し、ＲＡＭ１５にいったん記憶する。カーナビゲーション装置１０では制御回路１４にて、携帯情報端末３０から受け取ったデータと地図記憶メモリ１２またはＣＤ−ＲＯＭ１３に格納されたデータとのマッチング処理を行い、新たな登録地点データとして地図記憶メモリ１２に記憶したり、行き先地として設定することができる。
【００１８】
また、カーナビゲーション装置１０の持つ名勝地や娯楽施設などの詳細な情報、緯度経度情報などを、カーナビゲーション装置１０の送受信部２１から送信し、携帯情報端末３０の送受信部３７で受信することにより、カーナビゲーション装置１０の持つ様々な情報を携帯情報端末３０で利用することができる。
【００１９】
―――それぞれの機器の持つデータの説明と対比―――
図３（ａ），（ｆ），（ｇ）は、携帯情報端末３０の持つ機能の中で、住所録機能におけるデータの項目の一例を表したものである。携帯情報端末３０の初期設定では、よみ（姓）、よみ（名）、姓、名、よみ（会社）、会社名、役職、電話番号（会社）、電話番号（自宅）、電話番号（ＦＡＸ）、電話番号（携帯）、電話番号（その他）、郵便番号、都道府県、市町村、住所、国、カスタム１、カスタム２、カスタム３、カスタム４、コメントの項目がある。また、上記の電話番号の５項目は、ユーザーの設定で、それぞれ他の電話番号の項目名に変更することができる。また、初期設定の電話番号の項目名に変えて、上記以外に、図３（ｂ）に示す、電話番号（代表）、電話番号（ポケベル）の項目名、もしくはＥ−ｍａｉｌと置き換えることが可能である。以下、本実施の形態の説明では、図３（ａ），（ｆ），（ｇ）を外部住所データと呼ぶ。
【００２０】
図３（ｃ）は、携帯情報端末３０からカーナビゲーション装置１０へデータを送信した際に、カーナビゲーション装置１０側で受信可能なデータの項目を表す。よみ（姓）、よみ（名）、姓、名、よみ（会社）、会社名、役職、電話番号（会社）、電話番号（自宅）、電話番号（ＦＡＸ）、電話番号（その他）、郵便番号、都道府県、市町村、住所、国の項目である。電話番号に関しては、上記の電話番号の４項目が受信可能であり、電話番号による検索の際に利用する。以下、本実施の形態の説明では、図３（ｃ）を外部検索データと呼ぶ。
【００２１】
上述の外部住所データ、外部検索データに対し、カーナビゲーション装置１０の地図記憶メモリ１２またはＣＤ−ＲＯＭ１３に元々格納されていたデータを内部住所データと呼ぶ。
【００２２】
図３（ａ）と（ｃ）の間の矢印は、携帯情報端末３０から送信されたデータをカーナビゲーション装置１０で受信した場合の、各機器間で送受信される外部住所データと外部検索データとのデータ項目の対比を示す。
【００２３】
図３（ｄ）は、携帯情報端末３０から受信した外部データすなわち外部検索データをもとにカーナビゲーション装置１０で検索を行い、カーナビゲーション装置１０が持つ内部住所データと、外部検索データとを関連づけて、地図記憶メモリ１２の住所録エリアに記憶させたデータの項目を表す。図３（ｃ）の外部検索データと比較すると、付加情報の項目が増えており、この部分にカーナビゲーション装置１０の内部住所データの内、名勝地や娯楽施設などの詳細な情報、緯度経度情報が付加されている。このように本実施の形態のカーナビゲーション装置１０は、検索した内部住所データを、受信した外部検索データに付加させて住所録に記憶する。以下、本実施の形態の説明では、図３（ｄ）のデータを合成住所データと呼ぶ。
【００２４】
図３（ｅ）は、カーナビゲーション装置１０の持つ内部住所データを携帯情報端末３０へ送信する場合の、送信データ項目を表したものである。分類名、地点名称、電話番号、住所、詳細情報の項目に分類された内部住所データが、カーナビゲーション装置１０から携帯情報端末３０へ送信される。分類名とは例えばファミリーレストラン、動物園、金融機関などの、カーナビゲーション装置１０側であらかじめカテゴライズされているカテゴリーである。地点名称とは例えば特許庁、東京駅、三郷ジャンクションなど、地点としての固有名詞である。また、内部住所データにおける住所の項目は、その項目内部において都道府県、市町村、住所に分かれているため、それぞれの内容を携帯情報端末３０のデータ構造に合致させて送信を行う。詳細情報の項目には、その地点を紹介、解説する情報や緯度経度情報などが含まれている。詳細情報に含まれる地点を紹介、解説する情報とは例えば施設の営業時間や特徴などである。この詳細情報に、地図データや画像が含まれていても良く、この画像が動画であったり音声付きであっても良い。
【００２５】
図３（ｆ）は、先述の通り図３（ａ），（ｇ）と同じ外部住所データである。図３（ｅ）と（ｆ）の間の矢印は、カーナビゲーション装置１０の持つ内部住所データを、カーナビゲーション装置１０から携帯情報端末３０に送信した場合の各機器間で送受信される内部住所データと外部住所データとのデータ項目の対比を示す。カーナビゲーション装置１０の内部住所データの内、名勝地や娯楽施設などの詳細な情報、緯度経度情報などは、携帯情報端末３０のコメントの項目に記憶される。このように本実施の形態のカーナビゲーション装置１０は、内部住所データを外部の携帯情報端末３０の住所データ構造に合致するように変換して送信を行う。
【００２６】
図３（ｇ）は、先述の通り図３（ａ）、（ｆ）と同じ外部住所データである。図３（ｄ）と（ｇ）の間の矢印は、カーナビゲーション装置１０の住所録に記憶している合成住所データを、カーナビゲーション装置１０から携帯情報端末３０に送信した場合の各機器間で送受信される合成住所データと外部住所データとのデータ項目の対比を示す。合成住所データの内、付加情報の項目は、携帯情報端末３０のコメントの項目に記憶される。このように本実施の形態のカーナビゲーション装置１０では、合成住所データのデータ分類は、携帯情報端末３０の外部住所データのデータ分類に合致している。
【００２７】
なお、地図記憶メモリ１２の住所録エリアには、ユーザーがカーナビゲーション装置１０に手入力で直接住所データを入力することもできる。
【００２８】
―――カーナビゲーション装置でデータ受信時のフローチャートの説明―――
本実施の形態のカーナビゲーション装置１０が携帯情報端末３０から外部住所データを受信し、その外部住所データに基づいて行き先を設定する場合を詳細に説明する。なお、以下の本実施の形態の説明では、本発明に直接関わりのない選択スイッチが選択された場合についての記載は省略する。
【００２９】
図４〜７は、カーナビゲーション装置１０が、携帯情報端末３０から外部住所データを受信し、その外部住所データに基づいて行き先の設定をする場合のフローチャートを示す。図８〜２４は、図４〜７に示したフローチャートに対応するカーナビゲーション装置の画面について、本実施の形態の説明に必要な最小限の情報を記載した図である。
【００３０】
―――フローチャートの説明：データの受信まで―――
車両のイグニッションスイッチがＯＮになり、カーナビゲーション装置１０に電源が投入されることで、カーナビゲーション装置１０のＲＯＭ１６に格納されているプログラムが動作を開始する。ステップＳ１０において初期画面の表示をし、ステップＳ１２で準備を行う。準備が終わるとステップＳ１４からステップＳ２０に進み、図８に示す、現在地周辺地図とメニュー画面を表示モニタ１９に表示する。ステップＳ２２において図８に示す表示モニタ１９のナビメニュースイッチ１９ａが押されたと判断されると、ステップＳ３０へ進み、図９に示すナビメニュー画面を表示する。ステップＳ３２において図９に示す表示モニタ１９の行き先設定スイッチ１９ｂが押されたと判断されると、ステップＳ４０へ進み、図１０に示す行き先設定メニュー画面を表示する。ステップＳ４２において図１０に示す表示モニタ１９の住所録スイッチ１９ｃが押されたと判断されると、ステップＳ５０へ進み、図１１に示す住所録画面を表示する。ステップＳ５２において図１１に示す表示モニタ１９の新規入力スイッチ１９ｄが押されたと判断されると、ステップＳ６０へ進み、図１２に示す新規入力画面を表示する。ステップＳ６２において図１２に示す表示モニタ１９の赤外線通信スイッチ１９ｅが押されたと判断されると、ステップＳ７０へ進み、図１３に示す赤外線通信初期画面を表示する。ステップＳ７２において図１３に示す表示モニタ１９の受信スイッチ１９ｆが押されたと判断されると、ステップＳ７５へ進み、赤外線通信準備を行う。
【００３１】
ステップＳ７５における赤外線通信準備の際に、何らかの不都合で通信準備ができなかった場合には、ステップＳ７９で表示モニタ１９の下部に図１４（ｃ）に示すように準備ができていないことを表す表示を行い、ステップＳ７０へ戻る。
【００３２】
赤外線通信準備が完了すると、ステップＳ７８で受信待機状態となり、ステップＳ８０で表示モニタ１９の下部に図１４（ａ）に示すようにユーザーに携帯情報端末３０から外部住所データを送信するよう促す表示を行う。
【００３３】
携帯情報端末３０から外部住所データが送信されると（ステップＳ８２がＹｅｓ）、ステップＳ９０で表示モニタ１９の下部に図１４（ｂ）に示すデータ受信中の表示を行う。また、一定時間、携帯情報端末３０からの送信がなかった場合には（ステップＳ８２がＮｏ）、ステップＳ８６で表示モニタ１９の下部に図１４（ｄ）に示すように外部住所データが送られてこないことを表示し、ステップＳ７０へ戻る。またステップＳ９２において、携帯情報端末３０からの外部住所データ受信の際に、何らかの不都合が生じたと判定された場合、ステップＳ９４で表示モニタ１９の下部に図１４（ｅ）に示すようにエラーが発生したことを表示し、ステップＳ７０へ戻る。ステップＳ９２においてエラー発生が判定されないときはステップＳ９６へ進む。受信したデータはいったんＲＡＭ１５に記憶される。
【００３４】
―――フローチャートの説明：受信データから検索に使用する項目を選択―――携帯情報端末３０からの外部住所データ送信が完了し、カーナビゲーション装置１０で受信が完了すると（ステップＳ９６がＹｅｓ）、ステップＳ１００で表示モニタ１９の下部に図１４（ｆ）に示すデータ受信完了の表示を行い、ステップＳ１１０へ進み受信した外部住所データすなわち外部検索データの表示を行う。図１５は、ステップＳ１１０で表示された外部検索データを示す図である。外部検索データの各項目を表示モニタ１９上の該当個所に表示する。外部検索データに存在しない項目がある場合は、表示モニタ１９上の該当個所は空欄となる。ここでユーザが図１５の戻るスイッチ１９ｇを押すことで、ステップＳ１１５の戻るスイッチ１９ｇが押されたと判断されると、ステップＳ７０へ戻り、携帯情報端末３０から別の外部住所データを受信できるよう、図１３に示す赤外線通信初期画面の表示を行う。
【００３５】
また、ステップＳ１１２で登録スイッチ１９ｈが押された場合は、後述するステップＳ１１９へ進み、ＲＡＭ１５の外部検索データを地図記憶メモリ１２の住所録エリアへ登録する。ステップＳ１１４で検索スイッチ１９ｉが押された場合には、外部検索データを地図記憶メモリ１２の住所録エリアへ登録することなく、後述するステップＳ１２０へ進み、行き先の検索を実行するための検索画面表示を行う。
【００３６】
ステップＳ１１３で編集スイッチ１９ｊが押された場合には、ステップＳ１１７へ進み、外部検索データがカーナビゲーション装置１０で編集できる状態となる。ステップＳ１１８で登録スイッチが押されたら、ステップＳ１１９へ進み、外部検索データをユーザーにて編集された内容で地図記憶メモリ１２の住所録エリアへ登録する。また上述したように、ステップＳ１１２で登録スイッチ１９ｈが押された場合にも、ステップＳ１１９で外部検索データを地図記憶メモリ１２の住所録エリアへ登録する。
【００３７】
ステップＳ１１９での登録が実行されるか、上述したようにステップＳ１１４で検索スイッチ１９ｉが押された場合には、ステップＳ１２０へ進み、行き先の検索を実行するための検索画面表示を行う。ここでは、図１６に示すように、検索に使用できる外部検索データ項目が複数あるため、ユーザーは、ユーザーの判断で検索項目を選択する必要がある。
【００３８】
―――フローチャートの説明：検索―――
ステップＳ１２２においてユーザーにより検索項目が選択された後、ステップＳ１２４で検索スイッチ１９ｋが押されると、ステップＳ１２５へ進み、検索項目と地図記憶メモリ１２もしくはＣＤ−ＲＯＭ１３に格納された内部住所データとのマッチング処理が実行される。マッチングの結果はＲＡＭ１５に展開される。マッチング処理の結果、検索項目と内部住所データとがマッチングしなかった場合は、ステップＳ１２７へ進み、表示モニタ１９に該当する内部住所データが存在しないことを表示する（不図示）。そしてステップＳ１２０へ戻り、図１６に示す検索画面を表示モニタ１９に表示する。これによりユーザーは、別の検索項目を選ぶことで再び検索を実施することができる。なお、図１６をさらにスクロールすると図１７に示す画面となり、電話番号による検索が可能となる。
【００３９】
マッチング処理の結果、検索項目と内部住所データとがマッチングした場合は、ステップＳ１２８へ進み、該当する内部住所データが複数あるか否かを判断する。該当する内部住所データが１件の場合はステップＳ１３０へ進み、図１８に示すように該当する内部住所データを表示モニタ１９に表示する。この表示された内部住所データが、ユーザーの所望するデータでなかった場合には、表示モニタ１９に表示された戻るスイッチ１９ｌをユーザーが押すことにより、別の検索項目を選ぶことで再び検索を実施することができる。すなわちステップＳ１３２で戻るスイッチ１９ｌが押されたと判断されると、ステップＳ１２０へ戻り、図１６に示すように検索画面を表示モニタ１９に表示する。
【００４０】
該当する内部住所データが複数存在した場合はステップＳ１４０へ進み、図１９に示すように該当する複数の内部住所データを表示モニタ１９に表示する。ユーザーはこの複数表示された該当データの中から、任意の一つの内部住所データを選択することができる。また、複数の該当データの中にユーザーの所望する内部住所データが存在しない場合には、表示モニタ１９に表示された戻るスイッチ１９ｍを押すことにより、別の検索項目を選ぶことで再び検索を実施することができる。すなわちステップＳ１４６で戻るスイッチ１９ｍが押されたと判断されると、ステップＳ１２０へ戻り、図１６に示すように検索画面を表示モニタ１９に表示する。
【００４１】
図１９の検索結果画面において、ユーザーがデータ選択スイッチ１９ｎを押すことで、複数の該当する内部住所データの中から任意の１つの内部住所データが選択されると、ステップＳ１５０へ進み、図２０に示すように、選択された内部住所データを表示モニタ１９に表示する。このとき、この表示されたデータがユーザーの所望する内部住所データでなかった場合には、表示モニタ１９に表示された戻るスイッチ１９ｏを押すことにより、別の該当する内部住所データを選び、再び表示させることができる。すなわちステップＳ１５２で戻るスイッチ１９ｏが押されると、ステップＳ１４０へ戻り、図１９に示すように、表示モニタ１９にステップＳ１２５で検索された複数の該当する内部住所データを再び表示する。
【００４２】
図１８は先に述べたように、ステップＳ１３０における、該当する内部住所データが表示された状態を示す図である。また、図２０はステップＳ１５０における、ユーザーにより選択された任意の一つの内部住所データが表示された状態を示す図である。この２つのいずれかの状態で、ステップＳ１６２において地点の登録スイッチ１９ｐもしくは登録スイッチ１９ｑが押されたと判断されると、該当データをステップＳ８０〜１００で受信したデータに関連づけて地図記憶メモリ１２に記憶する。すなわち、ステップＳ８０〜１００で受信した外部検索データをステップＳ６０における地図記憶メモリ１２の住所録エリアの新規入力データの一つとして記憶する。検索の結果、マッチングしたカーナビゲーション装置１０の該当する内部住所データの各項目を、先に記憶した外部検索データに追記し、合成住所データとして地図記憶メモリ１２の住所録エリアに記憶する。
【００４３】
ステップＳ１６６で図１８の地図表示スイッチ１９ｒもしくは図２０の地図表示スイッチ１９ｓが押されたと判断されると、ステップＳ１６８で、図２１に示すように該当する内部住所データの周辺地図を表示モニタ１９に表示する。
【００４４】
―――フローチャートの説明：完全一致の場合―――
ステップＳ１２２での検索項目選択において、ユーザーが選択する項目の種類により、ステップＳ１２５における検索結果が次のように異なる。すなわち、図１７に示すように、検索項目として例えば電話番号が選択された場合には、内部住所データの中の電話番号データとのマッチングとなるため、該当する内部住所データが複数存在することはない。そのため該当する内部住所データが存在した場合には、図１８に示すように、この内部住所データは１件しか存在しない。また、このときの検索結果は、ユーザーの所望する検索結果である確率は非常に高い。そしてこの検索結果による内部住所データで表示される地図は、図２１に示すように行き先としての地点が正確に示されたものとなる。
【００４５】
―――フローチャートの説明：完全一致でない場合―――
検索項目として例えば図２２のように住所が選択された場合には、内部住所データの中の住所データとのマッチングとなるため、町名、街区符号、住居番号のようにデータが詳細であるほど、候補データの数は少なくなり、ユーザーの所望する行き先地点により近い検索結果が得られる。
【００４６】
検索項目として例えば図２３のように市町村が選択された場合には、内部住所データの中の市町村データとのマッチングとなるため、検索結果は、図２４に示すように、この市町村名に対応する地域となる。
【００４７】
本実施の形態のカーナビゲーション装置１０では、検索を行った結果および表示された地図についてはステップＳ１６８以降で、従来のカーナビゲーション装置と同様、新たな登録地点として地図記憶メモリに記憶したり、行き先地として設定することができる。
【００４８】
上述した本実施の形態のカーナビゲーション装置１０では、携帯情報端末３０から送信された外部住所データを受信し記憶することができる。この記憶した外部検索データに基づいて、カーナビゲーション装置１０の内部住所データとのマッチングを行うことができる。マッチングの結果、該当する内部住所データがあれば、この内部住所データの地図を表示することができ、新たな登録地点として地図記憶メモリ１２に記憶したり、行き先地として設定することができる。外部検索データにマッチングした内部住所データを追記し、合成住所データとして記憶することもできる。
【００４９】
―――内部住所または合成住所データを携帯情報端末へ送信する場合―――
また、本実施の形態のカーナビゲーション装置１０では、カーナビゲーション装置１０の持つ名勝地や娯楽施設などの詳細な情報、緯度経度情報などを携帯情報端末３０へ送信することにより、カーナビゲーション装置１０の持つ様々な情報を携帯情報端末３０で利用することができる。
【００５０】
―――内部住所データ送信時のフローチャートの説明―――
本実施の形態のカーナビゲーション装置１０が、カーナビゲーション装置１０の持つ名勝地や娯楽施設などの詳細な情報、緯度経度情報などを携帯情報端末３０へ送信する場合を詳細に説明する。送信されるデータは、図３（ｅ）に該当する、内部住所データである。
【００５１】
図４，２５は、カーナビゲーション装置１０が、内部住所データを携帯情報端末３０へ送信する場合のフローチャートを示す。図２６〜３０は、図２５に示したフローチャートに対応するカーナビゲーション装置の画面について、本実施の形態の説明に必要な最小限の情報を記載した図である。
【００５２】
図４に示すように、車両のイグニッションスイッチがＯＮになり、カーナビゲーション装置１０に電源が投入されることで、カーナビゲーション装置１０のＲＯＭ１６に格納されているプログラムが動作を開始する。ステップＳ１０において初期画面の表示をし、ステップＳ１２で準備を行う。準備が終わるとステップＳ２０において、図８に示す、現在地周辺地図とメニュー画面を表示モニタ１９に表示する。ステップＳ２２において図８に示す表示モニタ１９のナビメニュースイッチ１９ａが押されたと判断されると、ステップＳ３０へ進み、図９に示すナビメニュー画面を表示する。ステップＳ３２において図９に示す表示モニタ１９の行き先設定スイッチ１９ｂが押されたと判断されると、ステップＳ４０へ進み、図１０に示す行き先設定メニュー画面を表示する。
【００５３】
ステップＳ４６において図１０に示す表示モニタ１９の周辺施設スイッチ２０ａが押されたと判断されると、図２５に示すステップＳ２００へ進み、図２６に示す周辺施設画面を表示する。図２６で複数のカテゴリーの中から一つが選択され、ステップＳ２０２において図２６に示す表示モニタ１９の選択スイッチ２０ｂが押されたと判断されると、ステップＳ２１０へ進み、図２７に示す選択されたカテゴリーの周辺施設画面を表示する。
【００５４】
図２７で複数の施設の中から一つが選択され、ステップＳ２１２において図２７に示す表示モニタ１９の選択スイッチ２０ｃが押されたと判断されると、ステップＳ２２０へ進み、図２８に示す施設情報などを含む地点情報画面を表示する。ステップＳ２２２において図２８に示す表示モニタ１９の送信スイッチ２０ｄが押されたと判断されると、ステップＳ２２４へ進み、選択された内部住所データの赤外線通信による送信を開始する。赤外線通信中は、図２９に示す表示モニタ１９の下部に、図３０（ａ）に示したデータ送信中を表す表示を行う。送信される内部住所データは、携帯情報端末３０の住所データ構造に合致するように変換される。
【００５５】
ステップＳ２３２において、赤外線通信の際に、エラーが発生したと判断されると、ステップＳ２４０で表示モニタ１９の下部に図３０（ｂ）に示すようにエラーが発生したことを表す表示を行い、ステップＳ２２０へ戻る。
【００５６】
赤外線通信が完了すると、ステップＳ２５０で表示モニタ１９の下部に図３０（ｃ）に示すように完了の表示を行い、図２８に示すステップＳ２２０の地点情報表示画面に戻る。
【００５７】
―――合成住所データ送信時のフローチャートの説明―――
図４，３１は、カーナビゲーション装置１０が、地図記憶メモリ１２の住所録エリアに記憶されている合成住所データまたはユーザーがカーナビゲーション装置１０へ直接入力した住所データを携帯情報端末３０に送信した場合のフローチャートを示す。図３２〜３４は、図３１に示したフローチャートに対応するカーナビゲーション装置の画面について、本実施の形態の説明に必要な最小限の情報を記載した図である。
【００５８】
図４に示すように、車両のイグニッションスイッチがＯＮになり、カーナビゲーション装置１０に電源が投入されることで、カーナビゲーション装置１０のＲＯＭ１６に格納されているプログラムが動作を開始する。ステップＳ１０において初期画面の表示をし、ステップＳ１２で準備を行う。準備が終わるとステップＳ２０において、図８に示す、現在地周辺地図とメニュー画面を表示モニタ１９に表示する。ステップＳ２２において図８に示す表示モニタ１９のナビメニュースイッチ１９ａが押されたと判断されると、ステップＳ３０へ進み、図９に示すナビメニュー画面を表示する。ステップＳ３２において図９に示す表示モニタ１９の行き先設定スイッチ１９ｂが押されたと判断されると、ステップＳ４０へ進み、図１０に示す行き先設定メニュー画面を表示する。ステップＳ４２において図１０に示す表示モニタ１９の住所録スイッチ１９ｃが押されたと判断されると、ステップＳ５０へ進み、図１１に示す住所録画面を表示する。図１１において任意の一行が選択され、ステップＳ５２において図１１に示す表示モニタ１９の選択スイッチ２１ａが押されたと判断されると、図３１に示すステップＳ３００へ進み、図３２に示す選択された行の住所録画面を表示する。
【００５９】
図３２で複数の候補の中から一つが選択され、ステップＳ３０２において図３２に示す表示モニタ１９の選択スイッチ２１ｂが押されたと判断されると、ステップＳ３１０へ進み、図３３に示す選択された候補のデータ画面を表示する。ステップＳ３１２において図３３に示す表示モニタ１９の送信スイッチ２１ｃが押されたと判断されると、ステップＳ３１４へ進み、選択されたデータの赤外線通信による送信を開始する。赤外線通信中は、図３４に示す表示モニタ１９の下部に、図３０（ａ）に示したデータ送信中を表す表示を行う。このとき送信される合成住所データは、先述したように内部住所データのデータ分類を外部住所データのデータ分類に合致させるように作成されている。またユーザーが直接カーナビゲーション装置１０に入力したデータも、外部住所データのデータ分類に合致している。
【００６０】
ステップＳ３２２において、赤外線通信の際に、エラーが発生したと判断されると、ステップＳ３３０で表示モニタ１９の下部に図３０（ｂ）に示すようにエラーが発生したことを表す表示を行い、ステップＳ３１０へ戻る。
【００６１】
赤外線通信が完了すると、ステップＳ３４０で表示モニタ１９の下部に図３０（ｃ）に示すように完了の表示を行い、図３３に示すステップＳ３１０のデータ画面を表示する。
【００６２】
上述した本実施の形態および変形例のカーナビゲーション装置１０では、内部住所データ、合成住所データ、ユーザーがカーナビゲーション装置１０に直接入力した住所データを携帯情報端末３０へ送信することで、カーナビゲーション装置１０の持つ様々な情報が携帯情報端末３０で利用できる。
【００６３】
―――本実施の形態の変形例―――
上述した本実施の形態では、携帯情報端末３０へデータを送信する直前のステップＳ２２０またはＳ３１０において選択された施設または候補のデータ画面を表示しているが、選択された施設または候補を含む地図表示をステップＳ２２０またはＳ３１０において行っても良い。
【００６４】
また、本実施の形態ではＲＡＭ１５の外部検索データを地図記憶メモリ１２の住所録エリアに新規入力データとして登録しているが、地図記憶メモリ１２の住所録エリアに既に入力されていたデータにＲＡＭ１５の外部検索データを追記するようにしても良い。
【００６５】
―――まとめ―――
上記構成のカーナビゲーション装置１０では、携帯情報端末３０から送信された携帯情報端末３０の持つデータを受信し、受信したデータに基づいて、カーナビゲーション装置１０の地図記憶メモリ１２もしくはＣＤ−ＲＯＭ１３に格納されたデータとのマッチングを行うことができる。マッチングの結果、該当するデータがあれば、このデータの地図を表示することができ、新たな登録地点として地図記憶メモリ１２に記憶したり、行き先地として設定することができる。マッチングした地図記憶メモリ１２もしくはＣＤ−ＲＯＭ１３に格納されたデータを受信したデータに関連づけて記憶することもできる。
【００６６】
さらに、上記構成のカーナビゲーション装置１０では、カーナビゲーション装置１０の持つ名勝地や娯楽施設などの詳細な情報、緯度経度情報などを携帯情報端末３０へ送信することで、カーナビゲーション装置１０の持つ様々な情報が携帯情報端末３０で利用することができる。また、携帯情報端末３０から受信したデータと、検索の結果マッチングしたカーナビゲーション装置１０の該当データとを関連づけて記憶したデータを携帯情報端末３０へ送信することで、カーナビゲーション装置１０の持つ様々な情報を付加したデータを携帯情報端末３０で利用することができる。
【００６７】
なお、上述した本実施の形態および変形例では、カーナビゲーション装置の例で説明をしたが、この内容に限定する必要はない。携帯用のナビゲーション装置にも本発明は適用できる。
【００６８】
また、上述した本実施の形態および変形例では、ナビゲーション装置の制御回路１４が実行する制御プログラムはＲＯＭ１２に格納されている例で説明をしたが、この内容に限定する必要はない。制御プログラムやそのインストールプログラムをＣＤ−ＲＯＭ１４などの記録媒体で提供してもよい。
【００６９】
さらに、それらのプログラムをインターネットなどに代表される通信回線などの伝送媒体を介して提供することも可能である。すなわち、プログラムを、伝送媒体を搬送する搬送波上の信号に変換して送信することも可能である。この場合、プログラムを一括受信してもよいし、必要に応じて通信回線を介して受信してもよい。
【００７０】
以上の実施の形態において、地点登録手段、表示制御手段、およびデータ編集手段は、制御回路１４で実行されるプログラムと、画面上の各種ボタンによって実現されている。また、受信手段は送受信部２１に対応している。
【発明の効果】
以上のように本発明によれば、携帯情報端末に記憶されているデータを、カーナビゲーション装置で迅速かつ簡単に受信することができる。そのため、携帯情報端末に記憶されているデータを、再度カーナビゲーション装置に手で入力し直す必要がなくなる。
【図面の簡単な説明】
【図１】  本発明によるカーナビゲーション装置の本実施の形態のシステムブロック図
【図２】  本発明によるカーナビゲーション装置とデータを送受信することのできる、本実施の形態で使用している携帯情報端末のシステムブロック図
【図３】  本発明によるカーナビゲーション装置と本実施の形態で使用している携帯情報端末との間で送受信されるデータの項目を示した図であり、（ａ），（ｆ），（ｇ）は携帯情報端末の住所録機能のおけるデータ項目の一例、（ｂ）は携帯情報端末の住所録機能のおけるデータ項目のなかで、電話番号の複数の項目で置き換え可能な他の項目名、（ｃ）は携帯情報端末から送信されたデータをカーナビゲーション装置で受信した際の項目名、（ｄ）は携帯情報端末から受信したデータをもとにカーナビゲーション装置で検索を行い、カーナビゲーション装置が持つデータと、携帯情報端末から送信されたデータとを関連づけた、カーナビゲーション装置の記憶しているデータの項目名、（ｅ）はカーナビゲーション装置の持つデータを携帯情報端末に送信する際の項目名であり、項目間の矢印は、各機器間で送受信を行った際のデータ項目の対比を示す
【図４】  本発明によるカーナビゲーション装置で、携帯情報端末とデータを送受信する際のフローチャートの最初の部分である
【図５】  本発明によるカーナビゲーション装置で、携帯情報端末からデータを受信する際のフローチャートであり、図４の続きから携帯情報端末よりデータを受信するまでの部分である
【図６】  本発明によるカーナビゲーション装置で、携帯情報端末からデータを受信する際のフローチャートであり、図５の続きから携帯情報端末より受信したデータをもとに検索を行うまでの部分である
【図７】  本発明によるカーナビゲーション装置で、携帯情報端末からデータを受信する際のフローチャートであり、図６の続きから携帯情報端末より受信したデータをもとに地図表示を行うまでの部分である
【図８】  本発明によるカーナビゲーション装置で、本実施の形態のステップＳ２０における表示画面を表したものである
【図９】  本発明によるカーナビゲーション装置で、本実施の形態のステップＳ３０における表示画面を表したものである
【図１０】  本発明によるカーナビゲーション装置で、本実施の形態のステップＳ４０における表示画面を表したものである
【図１１】  本発明によるカーナビゲーション装置で、本実施の形態のステップＳ５０における表示画面を表したものである
【図１２】  本発明によるカーナビゲーション装置で、本実施の形態のステップＳ６０における表示画面を表したものである
【図１３】  本発明によるカーナビゲーション装置で、本実施の形態のステップＳ７０における表示画面を表したものである
【図１４】  本発明によるカーナビゲーション装置で、本実施の形態のステップＳ７０〜１００における表示画面のうち、表示モニタ下部に表示されるアナウンスの内容を表したものであり、（ａ）はステップＳ８０における表示モニタ下部に表示されるアナウンスの内容、（ｂ）はステップＳ９０における表示モニタ下部に表示されるアナウンスの内容、（ｃ）はステップＳ７９における表示モニタ下部に表示されるアナウンスの内容、（ｄ）はステップＳ８６における表示モニタ下部に表示されるアナウンスの内容、（ｅ）はステップＳ９４における表示モニタ下部に表示されるアナウンスの内容、（ｆ）はステップＳ１００における表示モニタ下部に表示されるアナウンスの内容である
【図１５】  本発明によるカーナビゲーション装置で、本実施の形態のステップＳ１１０における表示画面を表したものである
【図１６】  本発明によるカーナビゲーション装置で、本実施の形態のステップＳ１２０，１２２における表示画面を表したものである
【図１７】  本発明によるカーナビゲーション装置で、本実施の形態のステップＳ１２０，１２２における表示画面を表したものであり、図１６の表示画面をスクロールしたものである
【図１８】  本発明によるカーナビゲーション装置で、本実施の形態のステップＳ１３０における表示画面を表したものである
【図１９】  本発明によるカーナビゲーション装置で、本実施の形態のステップＳ１４０における表示画面を表したものである
【図２０】  本発明によるカーナビゲーション装置で、本実施の形態のステップＳ１５０における表示画面を表したものである
【図２１】  本発明によるカーナビゲーション装置で、本実施の形態のステップＳ１６８における表示画面を表したものである
【図２２】  本発明によるカーナビゲーション装置で、本実施の形態のステップＳ１２０，１２２における表示画面を表したものであり、図１６の表示画面をスクロールしたものである
【図２３】  本発明によるカーナビゲーション装置で、本実施の形態のステップＳ１２０，１２２における表示画面を表したものであり、図１６の表示画面をスクロールしたものである
【図２４】  本発明によるカーナビゲーション装置で、本実施の形態のステップＳ１６８における表示画面を表したものであり、図２３の表示画面の状態から検索された場合の結果を表す
【図２５】  本発明によるカーナビゲーション装置で、カーナビゲーション装置の持つ情報を携帯情報端末へデータを送信する際の本実施の形態のフローチャートであり、図４の続きからデータ送信を終了するまでを表す
【図２６】  本発明によるカーナビゲーション装置で、本実施の形態のステップＳ２００における表示画面を表したものである
【図２７】  本発明によるカーナビゲーション装置で、本実施の形態のステップＳ２１０における表示画面を表したものである
【図２８】  本発明によるカーナビゲーション装置で、本実施の形態のステップＳ２２０における表示画面を表したものである
【図２９】  本発明によるカーナビゲーション装置で、本実施の形態のステップＳ２３０における表示画面を表したものである
【図３０】  本発明によるカーナビゲーション装置で、本実施の形態のステップＳ２３０〜２５０，３２０〜３４０における表示画面のうち、表示モニタ下部に表示されるアナウンスの内容を表したものであり、（ａ）はステップＳ２３０またはステップＳ３２０における表示モニタ下部に表示されるアナウンスの内容、（ｂ）はステップＳ２４０またはステップＳ３３０における表示モニタ下部に表示されるアナウンスの内容、（ｃ）はステップＳ２５０またはステップＳ３４０における表示モニタ下部に表示されるアナウンスの内容である
【図３１】  本発明によるカーナビゲーション装置において、本実施の形態のカーナビゲーション装置が持つ情報と関連づけられた携帯情報端末３０から受信したデータを、携帯情報端末３０へ送信する際のフローチャートであり、図４の続きからデータ送信を終了するまでを表す
【図３２】  本発明によるカーナビゲーション装置で、本実施の形態のステップＳ３００における表示画面を表したものである
【図３３】  本発明によるカーナビゲーション装置で、本実施の形態のステップＳ３１０における表示画面を表したものである
【図３４】  本発明によるカーナビゲーション装置で、本実施の形態のステップＳ３２０における表示画面を表したものである
【符号の説明】
１０  カーナビゲーション装置
１１  現在位置検出装置
１２  地図記憶メモリ
１３  ＣＤ−ＲＯＭ
１４  制御回路
１５  ＲＡＭ
１６  ＲＯＭ
１７  入力装置
１９  表示モニタ
２１  送受信部
３０  携帯情報端末
３７  送受信部
【図１】
2005300159.tif 000003
【図２】
2005300159.tif 000004
【図３】
2005300159.tif 000005
【図４】
2005300159.tif 000006
【図５】
2005300159.tif 000007
【図６】
2005300159.tif 000008
【図７】
2005300159.tif 000009
【図８】
2005300159.tif 000010
【図９】
2005300159.tif 000011
【図１０】
2005300159.tif 000012
【図１１】
2005300159.tif 000013
【図１２】
2005300159.tif 000014
【図１３】
2005300159.tif 000015
【図１４】
2005300159.tif 000016
【図１５】
2005300159.tif 000017
【図１６】
2005300159.tif 000018
【図１７】
2005300159.tif 000019
【図１８】
2005300159.tif 000020
【図１９】
2005300159.tif 000021
【図２０】
2005300159.tif 000022
【図２１】
2005300159.tif 000023
【図２２】
2005300159.tif 000024
【図２３】
2005300159.tif 000025
【図２４】
2005300159.tif 000026
【図２５】
2005300159.tif 000027
【図２６】
2005300159.tif 000028
【図２７】
2005300159.tif 000029
【図２８】
2005300159.tif 000030
【図２９】
2005300159.tif 000031
【図３０】
2005300159.tif 000032
【図３１】
2005300159.tif 000033
【図３２】
2005300159.tif 000034
【図３３】
2005300159.tif 000035
【図３４】
2005300159.tif 000036